(57)【要約】【課題】カーテンの隙間からの入射光を遮光することができる農業用ハウスおよび、これに用いられる開閉装置を提供する。【解決手段】ハウス本体２は、互いに対向する一対の側壁２１，２２と、一対の側壁２１，２２の上端同士を繋ぐ屋根２３とがＹ軸方向（奥行方向）に延長された形状に構成される。第１のカーテン５は、ハウス本体２の内側に屋根２３に沿って設けられ、Ｙ軸方向に延長されている支持部６に支持され、Ｙ軸方向に沿って開閉する。第２のカーテン８は、上端部が第１のカーテン５の下端部と重なり、下端部が第１のカーテン５の下端部よりも下に位置する。【選択図】図１
2015142545.tif 000002
【特許請求の範囲】
【請求項１】
互いに対向する一対の側壁と一対の前記側壁の上端同士を繋ぐ屋根とが奥行方向に延長されたハウス本体と、
前記ハウス本体の内側に前記屋根に沿って設けられ、前記奥行方向に延長されている支持部に支持され、前記奥行方向に沿って開閉する第１のカーテンと、
上端部が前記第１のカーテンの下端部と重なり、下端部が前記第１のカーテンの下端部よりも下に位置する第２のカーテンとを備える
ことを特徴とする農業用ハウス。
【請求項２】
一対の前記側壁に設けられ、上端部が前記第２のカーテンの下端部と重なり、下端部が上下方向に沿って移動する第３のカーテンを備える
ことを特徴とする請求項１記載の農業用ハウス。
【請求項３】
前記第２のカーテンの下端部と前記第３のカーテンの上端部とが連続して一体に形成される
ことを特徴とする請求項２記載の農業用ハウス。
【請求項４】
前記屋根の幅方向における両方の端部それぞれに沿って設けられる複数の端支持部と、
前記端支持部に沿って奥行方向に移動自在であって、前記第１のカーテンの幅方向における端部を吊り下げるように構成される吊下げ部材とをさらに備える
ことを特徴とする請求項１乃至３のうちいずれか１項に記載の農業用ハウス。
【請求項５】
前記端支持部は、線状部材で構成され、
前記吊下げ部材は、前記端支持部上を奥行方向に移動自在である滑車を有する
ことを特徴とする請求項４記載の農業用ハウス。
【請求項６】
前記端支持部は、カーテンレールで構成され、
前記吊下げ部材は、前記カーテンレールに沿って奥行方向に移動自在であるランナーを有する
ことを特徴とする請求項４記載の農業用ハウス。
【請求項７】
前記第１のカーテンを開閉させる第１の開閉装置を備え、
前記第１の開閉装置は、
前記第１のカーテンを前記奥行方向に移動させる無端の第１の紐体と、
前記奥行方向の一端側に配置され、前記第１の紐体が掛け回される第１の回転ドラムと、
前記奥行方向の他端側に配置され、前記第１の紐体が掛け回される折返し部と、
前記第１の回転ドラムと前記第１の紐体との間に摩擦力を付与する摩擦力付与手段とを有し、
前記第１の回転ドラムおよび前記折返し部は前記屋根に沿って配置され、
前記第１のカーテンは、前記奥行方向の一端が固定され、前記奥行方向の他端が前記第１の紐体に結合され、
前記第１の回転ドラムの回転方向に応じて、前記第１のカーテンの他端が前記奥行方向に移動する
ことを特徴とする請求項１乃至６のうちいずれか１項に記載の農業用ハウス。
【請求項８】
前記摩擦力付与手段は、前記第１の紐体に張力を与えるように前記折返し部を引っ張る弾性部材で構成される
ことを特徴とする請求項７記載の農業用ハウス。
【請求項９】
前記第１のカーテンの閉状態を検知する閉検知スイッチと、
前記第１のカーテンの開状態を検知する開検知スイッチと、
前記第１の紐体と一体に設けられ、前記第１のカーテンが閉状態となる位置で前記閉検知スイッチの第１の操作部に接触して接点を反転させる第１の接触部材と、
前記第１の紐体と一体に設けられ、前記第１のカーテンが開状態でとなる位置で前記開検知スイッチの第２の操作部に接触して接点を反転させる第２の接触部材とを備える
ことを特徴とする請求項７または８記載の農業用ハウス。
【請求項１０】
前記第１の接触部材および前記第２の接触部材は、前記第１の紐体の移動方向に沿った方向に弾性を有する
ことを特徴とする請求項９記載の農業用ハウス。
【請求項１１】
前記閉検知スイッチの前記第１の操作部は、前記第１の紐体の移動方向に沿った方向に弾性を有し、
前記開検知スイッチの前記第２の操作部は、前記第１の紐体の移動方向に沿った方向に弾性を有する
ことを特徴とする請求項９または１０記載の農業用ハウス。
【請求項１２】
前記閉検知スイッチの前記第１の操作部は、接点を反転させる第１の押しボタンと、前記第１の接触部材と接触可能に構成され、前記第１の紐体の移動方向に沿った方向に弾性を有し前記第１の押しボタンを操作する第１のレバーとを備え、
前記開検知スイッチの前記第２の操作部は、接点を反転させる第２の押しボタンと、前記第２の接触部材と接触可能に構成され、前記第１の紐体の移動方向に沿った方向に弾性を有し前記第２の押しボタンを操作する第２のレバーとを備える
ことを特徴とする請求項９乃至１１のうちいずれか１項に記載の農業用ハウス。
【請求項１３】
前記閉検知スイッチが前記第１のカーテンの閉状態を検知した場合、または前記開検知スイッチが前記第１のカーテンの開状態を検知した場合、前記第１の回転ドラムの回転を停止させて前記第１のカーテンの開閉動作を停止させる制御回路を備え、
前記制御回路は、前記第１の回転ドラムの回転停止後、前記第１の回転ドラムを逆回転させる指示が入力されるまで前記第１の回転ドラムの回転停止を継続する
ことを特徴とする請求項９乃至１２のうちいずれか１項に記載の農業用ハウス。
【請求項１４】
前記第１の接触部材が前記閉検知スイッチから離れる方向に所定以上の力が加えられるまで、前記第１の接触部材と前記閉検知スイッチとの接触状態を保持する第１の跳ね返り防止部材と、
前記第２の接触部材が前記開検知スイッチから離れる方向に所定以上の力が加えられるまで、前記第２の接触部材と前記開検知スイッチとの接触状態を保持する第２の跳ね返り防止部材とを備える
ことを特徴とする請求項９乃至１３のうちいずれか１項に記載の農業用ハウス。
【請求項１５】
前記第１の跳ね返り防止部材および前記第２の跳ね返り防止部材は、磁石で構成される
ことを特徴とする請求項１４記載の農業用ハウス。
【請求項１６】
前記第１の開閉装置は、
前記第１の回転ドラムの上方または下方に配置され、前記第１の紐体が掛け回され、前記第１の紐体の移動方向を変更させる滑車を備え、
前記閉検知スイッチおよび前記開検知スイッチは、前記滑車と前記折返し部との間に設けられる
ことを特徴とする請求項９乃至１５のうちいずれか１項に記載の農業用ハウス。
【請求項１７】
前記閉検知スイッチおよび前記開検知スイッチは、前記滑車または前記折返し部に対して定位置に固定される
ことを特徴とする請求項１６に記載の農業用ハウス。
【請求項１８】
前記第１のカーテンを開閉させる第２の開閉装置を備え、
前記第２の開閉装置は、
前記第１のカーテンの前記奥行方向の一端である自由端に結合された第２の紐体を巻き取ることにより、前記自由端を奥行方向に移動させる第２の回転ドラムと、
前記第２の回転ドラムと前記自由端との間で前記第２の紐体が掛け回される第１滑車と、
前記第２の回転ドラムと前記第１滑車との間で前記第２の紐体が掛け回される第２滑車とを有し、
前記第２の回転ドラムおよび前記第１滑車は前記屋根に沿って配置されており、
前記第２滑車は、前記第２の回転ドラムおよび前記第１滑車の下方に配置されている
ことを特徴とする請求項１乃至６のうちいずれか１項に記載の農業用ハウス。
【請求項１９】
前記第２の回転ドラムおよび前記第１滑車の下方には、前記第２滑車および前記第２の紐体の周囲を囲むように柵が設けられており、
前記第２滑車は前記柵に固定されている
ことを特徴とする請求項１８に記載の農業用ハウス。
【請求項２０】
互いに対向する一対の側壁と一対の前記側壁の上端同士を繋ぐ屋根とが奥行方向に延長されたハウス本体の内側に前記屋根に沿って設けられ、前記奥行方向に延長されている支持部に支持され、前記奥行方向に沿って開閉するカーテンを開閉する開閉装置であって、
前記カーテンを前記奥行方向に移動させる無端の第１の紐体と、
前記奥行方向の一端側に配置され、前記第１の紐体が掛け回される第１の回転ドラムと、
前記奥行方向の他端側に配置され、前記第１の紐体が掛け回される折返し部と、
前記第１の回転ドラムと前記第１の紐体との間に摩擦力を付与する摩擦力付与手段とを有し、
前記第１の回転ドラムおよび前記折返し部は前記屋根に沿って配置され、
前記カーテンは、前記奥行方向の一端が固定され、前記奥行方向の他端が前記第１の紐体に結合され、
前記第１の回転ドラムの回転方向に応じて前記第１の回転ドラムから前記第１の紐体が引き出され、前記カーテンの他端が前記奥行方向に移動する
ことを特徴とする開閉装置。
【請求項２１】
前記摩擦力付与手段は、前記第１の紐体に張力を与えるように前記折返し部を引っ張る弾性部材で構成される
ことを特徴とする請求項２０記載の開閉装置。
【請求項２２】
互いに対向する一対の側壁と一対の前記側壁の上端同士を繋ぐ屋根とが奥行方向に延長されたハウス本体の内側に前記屋根に沿って設けられ、前記奥行方向に延長されている支持部に支持され、前記奥行方向に沿って開閉するカーテンを開閉する開閉装置であって、
前記カーテンの前記奥行方向の一端である自由端に結合された第２の紐体を巻き取ることにより、前記自由端を奥行方向に移動させる第２の回転ドラムと、
前記第２の回転ドラムと前記自由端との間で前記第２の紐体が掛け回される第１滑車と、
前記第２の回転ドラムと前記第１滑車との間で前記第２の紐体が掛け回される第２滑車とを有し、
前記第２の回転ドラムおよび前記第１滑車は前記屋根に沿って配置されており、
前記第２滑車は、前記第２の回転ドラムおよび前記第１滑車の下方に配置されている
ことを特徴とする開閉装置。
【発明の詳細な説明】
【技術分野】
【０００１】
本発明は、農作物の栽培に用いられる農業用ハウス、および農業ハウスに設けられたカーテンを開閉する開閉装置に関するものである。
【背景技術】
【０００２】
一般的に、この種の農業用ハウス（ビニールハウス）は、室内の気温、湿度等を維持して外界とは異なる農作物の栽培に適した環境を実現する（たとえば特許文献１参照）。特許文献１に記載の農業用ハウスは、ハウス内の温度、湿度を一定に保つために、開閉可能なカーテン（樹脂フィルム等）が設けられている。
【先行技術文献】
【特許文献】
【０００３】
【特許文献１】特開平８−７０７１０号公報
【発明の概要】
【発明が解決しようとする課題】
【０００４】
しかし、カーテンを開閉可能に構成した場合、移動するカーテンがハウス内の構造物と干渉することを防止するために、カーテンと構造物との間に隙間が生じ、この隙間から太陽光が入射するおそれがあった。
【０００５】
本発明は、上記事由に鑑みてなされたものであり、その目的は、カーテンの隙間からの入射光を遮光することができる農業用ハウス、およびこれに用いられる開閉装置を提供することにある。
【課題を解決するための手段】
【０００６】
本発明の農業用ハウスは、互いに対向する一対の側壁と一対の前記側壁の上端同士を繋ぐ屋根とが奥行方向に延長されたハウス本体と、前記ハウス本体の内側に前記屋根に沿って設けられ、前記奥行方向に延長されている支持部に支持され、前記奥行方向に沿って開閉する第１のカーテンと、上端部が前記第１のカーテンの下端部と重なり、下端部が前記第１のカーテンの下端部よりも下に位置する第２のカーテンとを備えることを特徴とする。
【０００７】
この農業用ハウスにおいて、一対の前記側壁に設けられ、上端部が前記第２のカーテンの下端部と重なり、下端部が上下方向に沿って移動する第３のカーテンを備えることが好ましい。
【０００８】
この農業用ハウスにおいて、前記第２のカーテンの下端部と前記第３のカーテンの上端部とが連続して一体に形成されることが好ましい。
【０００９】
この農業用ハウスにおいて、前記屋根の幅方向における両方の端部それぞれに沿って設けられる複数の端支持部と、前記端支持部に沿って奥行方向に移動自在であって、前記第１のカーテンの幅方向における端部を吊り下げるように構成される吊下げ部材とをさらに備えることが好ましい。
【００１０】
この農業用ハウスにおいて、前記端支持部は、線状部材で構成され、前記吊下げ部材は、前記端支持部上を奥行方向に移動自在である滑車を有することが好ましい。
【００１１】
この農業用ハウスにおいて、前記端支持部は、カーテンレールで構成され、前記吊下げ部材は、前記カーテンレールに沿って奥行方向に移動自在であるランナーを有することが好ましい。
【００１２】
この農業用ハウスにおいて、前記第１のカーテンを開閉させる第１の開閉装置を備え、前記第１の開閉装置は、前記第１のカーテンを前記奥行方向に移動させる無端の第１の紐体と、前記奥行方向の一端側に配置され、前記第１の紐体が掛け回される第１の回転ドラムと、前記奥行方向の他端側に配置され、前記第１の紐体が掛け回される折返し部と、前記第１の回転ドラムと前記第１の紐体との間に摩擦力を付与する摩擦力付与手段とを有し、前記第１の回転ドラムおよび前記折返し部は前記屋根に沿って配置され、前記第１のカーテンは、前記奥行方向の一端が固定され、前記奥行方向の他端が前記第１の紐体に結合され、前記第１の回転ドラムの回転方向に応じて、前記第１のカーテンの他端が前記奥行方向に移動することが好ましい。
【００１３】
この農業用ハウスにおいて、前記摩擦力付与手段は、前記第１の紐体に張力を与えるように前記折返し部を引っ張る弾性部材で構成されることが好ましい。
【００１４】
この農業用ハウスにおいて、前記第１のカーテンの閉状態を検知する閉検知スイッチと、前記第１のカーテンの開状態を検知する開検知スイッチと、前記第１の紐体と一体に設けられ、前記第１のカーテンが閉状態となる位置で前記閉検知スイッチの第１の操作部に接触して接点を反転させる第１の接触部材と、前記第１の紐体と一体に設けられ、前記第１のカーテンが開状態でとなる位置で前記開検知スイッチの第２の操作部に接触して接点を反転させる第２の接触部材とを備えることが好ましい。
【００１５】
この農業用ハウスにおいて、前記第１の接触部材および前記第２の接触部材は、前記第１の紐体の移動方向に沿った方向に弾性を有することが好ましい。
【００１６】
この農業用ハウスにおいて、前記閉検知スイッチの前記第１の操作部は、前記第１の紐体の移動方向に沿った方向に弾性を有し、前記開検知スイッチの前記第２の操作部は、前記第１の紐体の移動方向に沿った方向に弾性を有することが好ましい。
【００１７】
この農業用ハウスにおいて、前記閉検知スイッチの前記第１の操作部は、接点を反転させる第１の押しボタンと、前記第１の接触部材と接触可能に構成され、前記第１の紐体の移動方向に沿った方向に弾性を有し前記第１の押しボタンを操作する第１のレバーとを備え、前記開検知スイッチの前記第２の操作部は、接点を反転させる第２の押しボタンと、前記第２の接触部材と接触可能に構成され、前記第１の紐体の移動方向に沿った方向に弾性を有し前記第２の押しボタンを操作する第２のレバーとを備えることが好ましい。
【００１８】
この農業用ハウスにおいて、前記閉検知スイッチが前記第１のカーテンの閉状態を検知した場合、または前記開検知スイッチが前記第１のカーテンの開状態を検知した場合、前記第１の回転ドラムの回転を停止させて前記第１のカーテンの開閉動作を停止させる制御回路を備え、前記制御回路は、前記第１の回転ドラムの回転停止後、前記第１の回転ドラムを逆回転させる指示が入力されるまで前記第１の回転ドラムの回転停止を継続することが好ましい。
【００１９】
この農業用ハウスにおいて、前記第１の接触部材が前記閉検知スイッチから離れる方向に所定以上の力が加えられるまで、前記第１の接触部材と前記閉検知スイッチとの接触状態を保持する第１の跳ね返り防止部材と、前記第２の接触部材が前記開検知スイッチから離れる方向に所定以上の力が加えられるまで、前記第２の接触部材と前記開検知スイッチとの接触状態を保持する第２の跳ね返り防止部材とを備えることが好ましい。
【００２０】
この農業用ハウスにおいて、前記第１の跳ね返り防止部材および前記第２の跳ね返り防止部材は、磁石で構成されることが好ましい。
【００２１】
この農業用ハウスにおいて、前記第１の開閉装置は、前記第１の回転ドラムの上方または下方に配置され、前記第１の紐体が掛け回され、前記第１の紐体の移動方向を変更させる滑車を備え、前記閉検知スイッチおよび前記開検知スイッチは、前記滑車と前記折返し部との間に設けられることが好ましい。
【００２２】
この農業用ハウスにおいて、前記閉検知スイッチおよび前記開検知スイッチは、前記滑車または前記折返し部に対して定位置に固定されることが好ましい。
【００２３】
この農業用ハウスにおいて、前記第１のカーテンを開閉させる第２の開閉装置を備え、前記第２の開閉装置は、前記第１のカーテンの前記奥行方向の一端である自由端に結合された第２の紐体を巻き取ることにより、前記自由端を奥行方向に移動させる第２の回転ドラムと、前記第２の回転ドラムと前記自由端との間で前記第２の紐体が掛け回される第１滑車と、前記第２の回転ドラムと前記第１滑車との間で前記第２の紐体が掛け回される第２滑車とを有し、前記第２の回転ドラムおよび前記第１滑車は前記屋根に沿って配置されており、前記第２滑車は、前記第２の回転ドラムおよび前記第１滑車の下方に配置されていることが好ましい。
【００２４】
この農業用ハウスにおいて、前記第２の回転ドラムおよび前記第１滑車の下方には、前記第２滑車および前記第２の紐体の周囲を囲むように柵が設けられており、前記第２滑車は前記柵に固定されていることが好ましい。
【００２５】
本発明の開閉装置は、互いに対向する一対の側壁と一対の前記側壁の上端同士を繋ぐ屋根とが奥行方向に延長されたハウス本体の内側に前記屋根に沿って設けられ、前記奥行方向に延長されている支持部に支持され、前記奥行方向に沿って開閉するカーテンを開閉する開閉装置であって、前記カーテンを前記奥行方向に移動させる無端の第１の紐体と、前記奥行方向の一端側に配置され、前記第１の紐体が掛け回される第１の回転ドラムと、前記奥行方向の他端側に配置され、前記第１の紐体が掛け回される折返し部と、前記第１の回転ドラムと前記第１の紐体との間に摩擦力を付与する摩擦力付与手段とを有し、前記第１の回転ドラムおよび前記折返し部は前記屋根に沿って配置され、前記カーテンは、前記奥行方向の一端が固定され、前記奥行方向の他端が前記第１の紐体に結合され、前記第１の回転ドラムの回転方向に応じて前記第１の回転ドラムから前記第１の紐体が引き出され、前記カーテンの他端が前記奥行方向に移動することを特徴とする。
【００２６】
この開閉装置において、前記摩擦力付与手段は、前記第１の紐体に張力を与えるように前記折返し部を引っ張る弾性部材で構成されることが好ましい。
【００２７】
本発明の開閉装置は、互いに対向する一対の側壁と一対の前記側壁の上端同士を繋ぐ屋根とが奥行方向に延長されたハウス本体の内側に前記屋根に沿って設けられ、前記奥行方向に延長されている支持部に支持され、前記奥行方向に沿って開閉するカーテンを開閉する開閉装置であって、前記カーテンの前記奥行方向の一端である自由端に結合された第２の紐体を巻き取ることにより、前記自由端を奥行方向に移動させる第２の回転ドラムと、前記第２の回転ドラムと前記自由端との間で前記第２の紐体が掛け回される第１滑車と、前記第２の回転ドラムと前記第１滑車との間で前記第２の紐体が掛け回される第２滑車とを有し、前記第２の回転ドラムおよび前記第１滑車は前記屋根に沿って配置されており、前記第２滑車は、前記第２の回転ドラムおよび前記第１滑車の下方に配置されていることを特徴とする。
【発明の効果】
【００２８】
以上説明したように、本発明では、上端部が第１のカーテンの下端部と重なり、下端部が第１のカーテンの下端部よりも下に位置する第２のカーテンを備える。この第２のカーテンによって、第１のカーテンの隙間からの入射光を遮光することができるという効果がある。
【図面の簡単な説明】
【００２９】
【図１】実施形態１の農業用ハウスの概略構成を示す斜視図である。
【図２】実施形態１の農業用ハウスの概略構成図である。（ａ）は正面図、（ｂ）は平面図である。
【図３】実施形態１の農業用ハウスにおける第１のカーテンの支持状態を示す図である。（ａ）は正面図、（ｂ）は側面図である。
【図４】実施形態１の農業用ハウスにおける支持部の取付け状態を示す側面図である。
【図５】実施形態１の農業用ハウスにおける支持部の取付け状態を示す一部拡大図である。
【図６】実施形態１の農業用ハウスにおける支持部の取付け状態を示す側面図である。
【図７】実施形態１の農業用ハウスにおける支持部の取付け状態を示す側面図である。
【図８】実施形態１の農業用ハウスにおける補強部材の取付け状態を示す側面図である
【図９】実施形態１の農業用ハウスにおける補強部材の取付け状態を示す拡大図である。
【図１０】実施形態１の農業用ハウスにおける補強部材の取付け状態を示す拡大図である。
【図１１】実施形態１の農業用ハウスにおける第２のカーテンの取付け状態を示す図である。
【図１２】実施形態１の農業用ハウスにおける第２のカーテンと側カーテンの取付け状態を示す図である。
【図１３】実施形態１の農業用ハウスにおける一体カーテンの取付け状態を示す図である。
【図１４】実施形態１の農業用ハウスにおける端支持部の設置位置を示す概略構成図である。
【図１５】実施形態１の農業用ハウスにおける端支持部、吊下げ部材の概略構成図である。
【図１６】実施形態１の農業用ハウスにおける端支持部、吊下げ部材の変形例の概略構成図である。
【図１７】実施形態１の農業用ハウスにおける端支持部、吊下げ部材の変形例の概略構成図である。
【図１８】実施形態１の農業用ハウスにおける開閉装置の概略構成図である。
【図１９】実施形態１の農業用ハウスにおける開閉検知部の外観斜視図である。
【図２０】実施形態１の農業用ハウスにおけるケースを取り外した開閉検知部の外観斜視図である。
【図２１】実施形態１の農業用ハウスにおけるケースを取り外した開閉検知部の平面図である。
【図２２】実施形態１の農業用ハウスにおける開閉検知部の変形例の概略構成図である。（ａ）は平面図、（ｂ）は正面図である。
【図２３】実施形態１の農業用ハウスにおける開閉検知部の変形例の構成を示す斜視図である。
【図２４】実施形態１の農業用ハウスにおける開閉検知部の変形例の概略構成図である。（ａ）は平面図、（ｂ）は正面図である。
【図２５】実施形態１の農業用ハウスにおける開閉検知部の変形例の概略構成図である。
【図２６】実施形態２の農業用ハウスにおける開閉装置の概略構成図である。
【発明を実施するための形態】
【００３０】
以下、本発明の実施の形態を図面に基づいて説明する。
【００３１】
（実施形態１）
本実施形態の農業用ハウス１は、室内の気温、湿度等を維持して外界とは異なる農作物の栽培に適した環境を実現する。以下では、主として軟弱野菜（ほうれん草、小松菜等）の栽培に用いられる農業用ハウス１を例として説明するが、農業用ハウス１の用途を限定する趣旨ではない。
【００３２】
本実施形態の農業用ハウス１の概略構成図を図１に示す。本実施形態の農業用ハウス１は、ハウス本体２と第１のカーテン５と第２のカーテン８とを備える。なお、図１に示したＸ軸方向（農業用ハウス１の幅方向）、Ｙ軸方向（農業用ハウス１の奥行方向）、Ｚ軸方向（農業用ハウス１の高さ方向）を用いて説明する。
【００３３】
ハウス本体２は、互いに対向する一対の側壁２１，２２と、一対の側壁２１，２２の上端同士を繋ぐ屋根２３とがＹ軸方向（奥行方向）に延長された形状に構成される。第１のカーテン５は、ハウス本体２の内側に屋根２３に沿って設けられ、Ｙ軸方向に延長されている支持部６（図２（ａ）（ｂ）参照）に支持され、Ｙ軸方向に沿って開閉する。第２のカーテン８は、上端部が第１のカーテン５の下端部と重なり、下端部が第１のカーテン５の下端部よりも下に位置する。
【００３４】
以下に、図１，図２（ａ）（ｂ）を用いて、本実施形態の農業用ハウス１について詳細に説明する。
【００３５】
ハウス本体２は、互いに対向する一対の側壁２１，２２と、一対の側壁２１，２２の上端同士を繋ぐ屋根２３とがＹ軸方向（奥行方向）に延長された形状に構成されている。また、本実施形態では、ハウス本体２はＹ軸方向の両端部に妻壁２４を有しており、この妻壁２４には図示しない出入口が設けられている。
【００３６】
具体的には、ハウス本体２は、アルミニウム等の金属製のフレーム（骨組）３と、透光性を有しフレーム３に保持される被覆材２０とを備えている。被覆材２０は、ハウス本体２の略全体を覆うように設けられている。被覆材２０は、たとえば太陽光を殆ど遮らずに雨風を凌ぎ、且つハウス本体２内の保温、保湿を実現すべく透明なビニルシートやガラス製であってもよいし、通気性を考慮して部分的に網（防虫網など）で構成されていてもよい。
【００３７】
フレーム３は、アーチ状を成しＹ軸方向（奥行方向）に複数本並ぶアーチ部３１と、各々がＹ軸方向に延長され複数本のアーチ部３１を連結する複数本の連結部材３２とを有している。複数本のアーチ部３１の各々は、Ｚ軸方向（高さ方向）に沿う一対の壁片３１１，３１２と、これら一対の壁片３１１，３１２の上端同士を繋ぐ屋根片３１３とで構成されている。
【００３８】
つまり、Ｙ軸方向に並ぶ複数本の壁片３１１およびこれらの壁片３１１間に設けられた被覆材２０が側壁２１を構成し、Ｙ軸方向に並ぶ複数本の壁片３１２およびこれらの壁片３１２間に設けられた被覆材２０が側壁２２を構成する。また、Ｙ軸方向に並ぶ複数本の屋根片３１３およびこれらの屋根片３１３間に設けられた被覆材２０が屋根２３を構成する。ここで、各アーチ部３１は、屋根片３１３がＸ軸方向（幅方向）の中央部ほど高くなるように上方に凸となる形、たとえば半円状や三角形状に形成される。そのため、屋根２３は、たとえば半円柱状や三角柱状に形成されることになる。
【００３９】
複数本の連結部材３２は、少なくともＹ軸方向に並ぶ複数本の壁片３１１の上端（屋根片３１３との連結点）同士を連結する肩部３２１と、Ｙ軸方向に並ぶ複数本の壁片３１２の上端（屋根片３１３との連結点）同士を連結する肩部３２２とを含んでいる。つまり、ハウス本体２の側壁２１，２２と屋根２３とは、肩部３２１，３２２によって区切られている。さらに、複数本の連結部材３２は、肩部３２１，３２２の他、Ｙ軸方向に並ぶ複数本の屋根片３１３の頂部同士を連結する棟部３２３を含んでいる。
【００４０】
また、ハウス本体２のフレーム３は、Ｙ軸方向の両端部に、Ｙ軸方向に直交する平面（図１のＸ−Ｚ平面）に沿って配置されており少なくとも屋根２３を支持する梁３３をさらに有している。梁３３は、Ｙ軸方向の両端に位置する各アーチ部３１の内側に設けられている。つまり、Ｙ軸方向の両端の各アーチ部３１および梁３３と、これら各アーチ部３１の内側に設けられた被覆材２０とが妻壁２４を構成する。
【００４１】
ハウス本体２のＹ軸方向の両端に位置する各妻壁２４にはファン２４１が設けられている。ファン２４１は、妻壁２４におけるＸ軸方向の中央部であって、且つ上端部の近傍に設けられ、梁３３に支持されている。したがって、この農業用ハウス１は、ファン２４１を作動（回転）させることでハウス本体２内に強制的に空気流が生じ、ハウス本体２の内部空間の換気（空気の入れ替え）を行うことができる。
【００４２】
また、本実施形態の農業用ハウス１は、図１に示すように散水を行うための散水装置１１をさらに備えている。散水装置１１は、ハウス本体２内に設けられた水噴射部１１１と、水噴射部１１１に水を供給するタンク１１２とを有している。水噴射部１１１は、Ｙ軸方向に沿って各側壁２１，２２際に設けられたパイプまたはチューブからなり、タンク１１２から供給される水をハウス本体２内に噴射するように、その側面に適当な間隔で孔またはノズル（図示せず）が形成されている。ここで、散水装置１１は、各側壁２１，２２の上端部と下端部とのそれぞれに対応する位置に水噴射部１１１が設けられている。側壁２１，２２の上端部に設けられた水噴射部１１１のノズルからはミスト状の水を噴射（噴霧）し、側壁２１，２２の下端部に設けられた水噴射部１１１の孔からは水が噴出（散水）する。
【００４３】
ところで、本実施形態の農業用ハウス１においては、第１のカーテン５は、上述したように構成されるハウス本体２の内側に屋根２３に沿って設けられている。この第１のカーテン５は、Ｙ軸方向（奥行方向）に延長されている支持部６（図２（ａ）（ｂ）参照）にて支持され、支持部６に沿ってＹ軸方向に開閉するように構成されている。ここでは一例として、第１のカーテン５は、遮光率が６５〜７５％程度の減光用のカーテンであって、全閉状態では屋根２３を通してハウス本体２内に照射する太陽光（日射）の一部を遮る機能を持つ。軟弱野菜などにおいては、ハウス本体２内に照射する光が強過ぎると光合成の効率が悪くなるが、農業用ハウス１は、このような減光用の第１のカーテン５を有することで、ハウス本体２内への日射量を調節して農作物の栽培に適した環境を実現できる。
【００４４】
以下に、第１のカーテン５および支持部６の具体的な構成について図２（ａ）（ｂ）および図３（ａ）（ｂ）を参照して説明する。
【００４５】
支持部６は、ハウス本体２のＹ軸方向の両端間、つまり一対の妻壁２４間に張られた複数本の線状部材からなる。ここでいう線状部材はたとえばワイヤやロープなどである。本実施形態では、支持部６は梁３３（図１参照）に固定されている。つまり、上述したようにハウス本体２のＹ軸方向の両端に位置する妻壁２４には少なくとも屋根２３を支持する梁３３が設けられているので、本実施形態の農業用ハウス１は、この梁３３を支持部６の両端部を固定するための部材として兼用している。第１のカーテン５は、支持部６に吊り下げられる形で支持部６にて支持される。
【００４６】
支持部６は、一対の側壁２１，２２の対向方向であるＸ軸方向（幅方向）に３本以上並べて設けられている。本実施形態では、支持部６は、各肩部３２１，３２２（図１参照）の近傍と、棟部３２３（図１参照）の近傍との各位置に１本ずつ設けられている。これら計３本の支持部６はＸ軸方向（幅方向）に略等間隔で設けられている。ここで、これら複数本（本実施形態では３本）の支持部６は、側壁２１（または側壁２２）から離れるほど第１のカーテン５の高さが高くなるように、側壁２１（または側壁２２）からの距離に応じてカーテンを支持する高さが異なっている。言い換えれば、複数本の支持部６は、図２（ｂ）に示すようにＸ軸方向の中央に近い支持部６ほど高い位置に配置されており、これにより第１のカーテン５はＸ軸方向の中央部が最も高くなるように屋根２３の形状に沿って支持される。
【００４７】
また、本実施形態の変形例として、支持部６の端部は地面付近に配置された構成であってもよい。図４，図５に示すように、妻壁２４に柱３３１を設け、支持部６の端部は、柱３３１の上方に設けられたアイボルト３３２のリング部を介してターンバックル３３３の一端に固定される。ターンバックル３３３の他端は、柱３３１の地面付近に設けられたアイボルト３３４に固定される。したがって、ユーザは、ターンバックル３３３の胴体部を回転することによって、地面から近い位置で支持部６のテンション（張力）を調整することができ、作業性が向上する。また、高所での作業が減少するので安全性も向上し、施工費も削減することができる。なお、アイボルト３３２，３３４の代わりにアイナットを用いてもよい。
【００４８】
また、図６に示すように、ターンバックル３３３と支持部６の端部との間にコイルばね３３５を設けた構成でもよい。コイルばね３３５を設けることによって、張力測定器を用いることなく、コイルばね３３５の長さに基づいて支持部６の張力（テンション）を把握することができる。例えば、施工時またはメンテナンス時において、コイルばね３３５が所定の長さとなるようにターンバックル３３３の胴体部を回転させることによって、支持部６のテンションが所定値となるように容易に調整することができる。
【００４９】
さらに別の変形例として、図７に示すように、支持部６の端部におもり３３６を吊り下げた構成でもよい。おもり３３６を所定の重量とすることで、張力測定器を用いることなく、支持部６のテンションが所定値となるように容易に設定することができる。また、おもり３３６を用いることによって、支持部６が伸びた場合であっても、支持部６のテンションを所定値に維持することができる。
【００５０】
また、上述したようにハウス本体２は、一対の妻壁２４間には複数の支持部６が張られ、さらに風を受けるので、妻壁２４に大きな負荷がかかる。そこで、本実施形態では、ハウス本体２（妻壁２４）の歪みを防止するために、補強部材３４を設けている（図８，図９参照）。
【００５１】
図９に示すように、柱３３１は具体的には角柱状に形成されており、アイボルト３３２が設けられる上端部３３１１は押し潰されて平板状に形成されている。補強部材３４は、奥行方向に延長された金属製のパイプで構成されており、一方の端部が柱３３１の上端部３３１１に接触した状態で複数のアーチ部３１に固定部材３４１によって固定されている。これにより、妻壁２４が受ける負荷が、補強部材３４を介して複数のアーチ部３１にも分散され、ハウス本体２（妻壁２４）の歪みを防止することができる。また、平板状に形成された柱３３１の上端部３３１１を貫通するようにボルト３４２が取り付けられている。補強部材３４は、柱３３１の上端部３３１１から突出したボルト３４２に挿し込まれた状態で固定されることによって、補強部材３４の位置ずれを防止することができる。
【００５２】
また、本実施形態の変形例として、図１０に示すように、妻壁２４を構成するアーチ部３１と柱３３１の上端部３３１１とを接続する断面Ｕ字状の接続金具３４３がボルト３４２によって固定され、補強部材３４は、ボルト３４２に挿し込まれた状態で固定される。これにより、ボルト３４２は、接続金具３４３の固定と、補強部材３４の位置ずれ防止とを兼用することができる。
【００５３】
また、各支持部６には、図３（ａ）（ｂ）に示すように、その長手方向（Ｙ軸方向）に並ぶように滑車７１が複数個ずつ取り付けられており、これらの滑車７１は、各々、支持部６に沿って支持部６上を移動自在に構成されている。そのため、同一の支持部６上においてＹ軸方向に隣接する滑車７１間の間隔は変化する。各滑車７１には、各々第１のカーテン５を保持するためのクランプ７２が吊り下げられる形で連結されている。
【００５４】
第１のカーテン５は、たとえば合成樹脂製であって、開閉自在とするのに十分な可撓性を持つ。第１のカーテン５は、各滑車７１に連結されたクランプ７２に各部が挟まれる形で保持され、Ｘ軸方向の複数箇所において各支持部６に吊り下げられるようにして、複数本の支持部６にて支持される。これにより、第１のカーテン５のうちクランプ７２に保持された各部位は、滑車７１の移動に伴い支持部６に沿ってＹ軸方向に移動する。ただし、第１のカーテン５のＹ軸方向の一端部を保持するクランプ７２は、支持部６の長手方向（Ｙ軸方向）の一端部から移動しないように、ハウス本体２のフレーム３（梁３３）に対して固定されている。
【００５５】
上記構成によれば、滑車７１が支持部６に沿って支持部６上を移動すると、滑車７１に連結されているクランプ７２は第１のカーテン５と共にＹ軸方向に移動するので、結果的に、第１のカーテン５が開閉する。つまり、第１のカーテン５は、Ｙ軸方向の一端を固定端、他端を自由端として、固定端を定位置に固定しつつ、滑車７１の移動を伴って自由端をＹ軸方向に移動させることで、支持部６に沿ってＹ軸方向に開閉する。そのため、第１のカーテン５は、自由端が固定端に最も近づいた状態で全開状態となり、自由端が固定端から最も離れた状態で全閉状態となる。なお、全閉状態にある第１のカーテン５は、ハウス本体２における屋根２３の略全域を覆うことになる。
【００５６】
さらに、この構成において、第１のカーテン５を支持する複数本の支持部６には同数の滑車７１が取り付けられており、且つ、第１のカーテン５が全閉状態にあるとき、これら複数本の支持部６に支持されたクランプ７２はＸ軸方向に沿った同一直線上に位置する。言い換えれば、第１のカーテン５は、異なる支持部６に吊り下げられた複数個のクランプ７２にてＹ軸方向の同一位置が保持される形で、支持部６に支持される。したがって、第１のカーテン５は、全閉状態から全開状態になる際、Ｙ軸方向においてクランプ７２にて保持された部位の間が垂れ下がるようにして折り畳まれる。つまり、全開状態にある第１のカーテン５は、クランプ７２にて保持された部位で山折りとなるように折り畳まれることになる。
【００５７】
ここで、Ｙ軸方向に沿って開閉する第１のカーテン５が、ハウス本体２内のフレーム３等と干渉することを防止するために、第１のカーテン５のＸ軸方向の両端とフレーム３（各肩部３２１，３２２）との間に隙間が生じている。そのため、各肩部３２１，３２２付近において、第１のカーテン５と各肩部３２１，３２２との隙間を通して太陽光がハウス本体２内に入射するおそれがある。そこで、本実施形態の農業用ハウス１は、上記の隙間を塞ぐ第２のカーテン８を備える。
【００５８】
第２のカーテン８は、遮光性（減光性）を有する合成樹脂性であり、各肩部３２１，３２２の付近において、Ｙ軸方向におけるハウス本体２の一端から他端に亘って屋根２３に沿うように設けられている（図１参照）。具体的には、図１１に示すように、第２のカーテン８は、複数の固定部材８１を用いて、下端部が各肩部３２１，３２２に適当な間隔で固定され、上端部が屋根片３１３に固定されている。固定部材８１は、断面がＣ字状の筒体で構成され、第２のカーテン８を挟み込んだ状態で肩部３２１，３２２および屋根片３１３がはめ込まれることで、第２のカーテン８を固定する。また、第１のカーテン５が開いているときに第２のカーテン８によって遮光される面積を減らすために、本実施形態では、第２のカーテン８は、上端部が第１のカーテン５の下端部と重なる寸法に形成されている。なお、図１１の矢印は、太陽光の照射を示している。
【００５９】
すなわち、第２のカーテン８は、上端部が第１のカーテン５の下端部と重なり、下端部が第１のカーテン５の下端部よりも下側に位置している。したがって、第２のカーテン８によって、第１のカーテン５と屋根２３との隙間が塞がれ、この隙間を通して太陽光がハウス本体２内に入射することを防止することができる。
【００６０】
さらに、本実施形態の農業用ハウス１は、各側壁２１，２２の内側に設けられた第１の側カーテン１３（第３のカーテン）と、各側壁２１，２２の外側に設けられた第２の側カーテン１４とを備えていてもよい（図１参照）。ここでは一例として、第１の側カーテン１３は第１のカーテン５と同じ素材からなり遮光（減光）性を有し、第２の側カーテン１４は透明である。第１の側カーテン１３と第２の側カーテン１４とは、いずれも上端部が肩部３２１，３２２の近傍に固定されており、Ｚ軸方向（上下方向）に開閉自在に構成されている。
【００６１】
具体的には、第１および第２の側カーテン１３，１４は、その上端を固定端、下端を自由端として、地面からの自由端の高さ位置が変化することにより、Ｚ軸方向に開閉する。ここで、第１の側カーテン１３と第２の側カーテン１４とでは開閉のための構成は同一であるので、以下では、第１の側カーテン１３を例として、その詳しい構成について図１２を参照して説明する。なお、図１２の矢印は、太陽光の照射を示している。
【００６２】
側カーテン１３は、図１２に示すように、上端部は第２のカーテン８の下端部と重ね合わされた状態で固定部材８１を用いて肩部３２１，３２２に固定され、下端部に棒状の芯材１３１を有している。ここで、側カーテン１３を開閉するための開閉装置１５は、各側壁２１，２２の上端部に固定された定滑車１５１と、定滑車１５１にて巻取可能な紐体１５２とを有している。ここでいう紐体１５２はたとえばロープやワイヤなどである。紐体１５２は、その一部に側カーテン１３の自由端が結合されている。さらに本実施形態では、側カーテン１３は、紐体１５２との結合部位のＺ軸方向の延長線上に、フック等の引掛具（図示せず）を複数個有しており、これらの引掛具に紐体１５２が挿通されている。
【００６３】
これにより、開閉装置１５は、定滑車１５１を回転させることにより、紐体１５２が移動して、側カーテン１３の自由端を芯材１３１ごとＺ軸方向に移動させることができる。開閉装置１５は、側カーテン１３を開くときには、芯材１３１が上昇するように紐体１５２を移動させ、側カーテン１３を閉じるときには、芯材１３１が下降するように紐体１５２を移動させる。
【００６４】
ここで、開閉装置１５は、定滑車１５１および紐体１５２の組み合わせを２組有しており、側カーテン１３の自由端に設けられた芯材１３１の両端部に各組の紐体１５２を結合している。そのため、開閉装置１５は、定滑車１５１を回転させて両方の紐体１５２を同時に移動させることにより、側カーテン１３の自由端に設けられた芯材１３１のＹ軸方向の両端部を同時に移動させることができる。これにより、側カーテン１３は、自由端がＹ軸方向の両端間に亘ってＺ軸方向に一斉に移動するので、Ｙ軸方向の全域に亘り一斉に開閉する。したがって、このような構成の農業用ハウス１によれば、側カーテン１３の自由端の位置をＹ軸方向の両端間に亘って揃えることができ、Ｙ軸方向において側カーテン１３の開度のばらつきを抑制できる。
【００６５】
また、このように側カーテン１３をＹ軸方向の全域に亘り一斉に開閉する場合、開閉装置１５は、２組の定滑車１５１が同時に回転するように、定滑車１５１同士がシャフト（図示せず）にて連結されていることが望ましい。これにより、開閉装置１５は、一方の定滑車１５１が回転すると、この回転力がシャフトを介して他方の定滑車１５１に伝達され、両方の紐体１５２が同時に移動するので、Ｙ軸方向において側カーテン１３の開度のばらつきを抑制できる。
【００６６】
また、開閉装置１５は、モータなどの駆動源（図示せず）を備え、駆動源の発生する駆動力により定滑車１５１を回転させて側カーテン１３を開閉する構成でもよいし、ユーザが手動で定滑車１５１を回転させて側カーテン１３を開閉する構成であってもよい。いずれの構成であっても、上述したように定滑車１５１同士がシャフトで連結されている場合、開閉装置１５は、一方の定滑車１５１のみを回転させることで側カーテン１３を開閉できる。
【００６７】
なお、上記では、第２のカーテン８と第１の側カーテン１３（第３のカーテン）とを別体に構成しているが、本実施形態の変形例として、第２のカーテン８の下端部と第１の側カーテン１３の上端部とが連続して一体に形成された構成であってもよい。なお、第２のカーテン８と第１の側カーテン１３とが一体に形成されたものを一体カーテン８０と称して説明する。
【００６８】
本変形例の一体カーテン８０は、側壁２１，２２と屋根２３の一部とに沿って設けられている。そして、図１３に示すように、上端部が第１のカーテン５の下端部と重なるように固定部材８２で屋根片３１３に固定され、中間部が固定部材８１で各肩部３２１，３２２に固定されている。固定部材８２は、Ｙ軸方向に沿って形成された溝を有する長尺状の取付部材８２１と、取付部材８２１の溝にはめ込まれ、取付部材８２１の溝の側面に付勢するばね状の弾性部材８２２とで構成されている。取付部材８２１は、各屋根片３１３を連結するようにＹ軸方向に沿って設けられており、取付部材８２１の溝の側面と弾性部材８２２とで一体カーテン８０が挟み込まれることで一体カーテン８０が屋根片３１３に固定される。一体カーテン８０は、肩部３２１，３２２より上方が第２のカーテン８と同様の機能を有し、肩部３２１，３２２より下方が第１の側カーテン１３と同様の機能を有する。なお、図１３の矢印は、太陽光の照射を示している。
【００６９】
本変形例では、第２のカーテン８と第１の側カーテン１３とが一体化されている。したがって、図１２における第２のカーテン８と第１の側カーテン１３との重なりがなくなるので、材料費を削減することができる。また、肩部３２１，３２２に取り付けられる固定部材８１は、１つの部材（一体カーテン８０）のみを挟み込むので、固定部材８１が外れることが抑制される。また、材料をカットして第２のカーテン８と第１の側カーテン１３とを形成する行程が不要となり、施工費も削減される。また、一体カーテン８０は、固定部材８１によって、各肩部３２１，３２２に固定されることによって、一体カーテン８０と第１のカーテン５とが干渉することを防止され、一体カーテン８０によって第１のカーテン５の移動が阻害されることが防止される。
【００７０】
ここで、上述した支持部６は、第１のカーテン５全体の荷重を支える必要があるので、第１のカーテン５の端部を支持することが困難であった。そのため、第１のカーテン５の端部が垂れ下がり、第２のカーテン８、第１の側カーテン１３との隙間から太陽光が入射するおそれがあった。そこで、隙間からの入射光を低減するために、上述した支持部６に加えて、第１のカーテン５のＸ軸方向（幅方向）における端部を支持する端支持部６１を備えた構成であってもよい。
【００７１】
端支持部６１は、一対の妻壁２４間において、屋根２３のＸ軸方向（幅方向）における両方の端部それぞれに沿って設けられている。この端支持部６１は、ワイヤ、エステル線などの線状部材で構成されており、第１のカーテンのＸ軸方向における端部を吊り下げる吊下げ部材６２が複数設けられている（図１５参照）。吊下げ部材６２は、リング状に形成されており、端支持部６１と、第１のカーテン５の端部に設けられたハトメ５３とに通されることで、第１のカーテン５の端部を端支持部６１に吊り下げている。そして、吊下げ部材６２は、端支持部６１に沿って奥行方向に移動自在であり、第１のカーテン５の開閉にともなって移動する。
【００７２】
上記構成の端支持部６１、吊下げ部材６２によって、第１のカーテン５のＸ軸方向における端部が第１の側カーテン１３と近い位置で吊り下げられる。これにより、第１のカーテン５と第１の側カーテン１３との隙間が低減されるので、第１のカーテン５と第１の側カーテン１３との隙間からの入射光を低減することができ、上述した第２のカーテン８の幅も小さくすることができる。
【００７３】
また、端支持部６１は、第１のカーテン５の端部のみを支持しているので、端支持部６１および妻壁２４への負荷が小さく、安価な線状部材を端支持部６１に用いることができる。なお、端支持部６１の張力は、２５ｋｇｆ以下に設定することが望ましい。
【００７４】
また、吊下げ部材６２の変形例として、図１６に示すように、端支持部６１上をＹ軸方向（奥行方向）に移動自在である滑車６２１を備え、ハトメ５３に掛けられるフック６２２を用いて第１のカーテン５の端部を保持する構成でもよい。吊下げ部材６２が滑車６２１を備えることによって、吊下げ部材６２と端支持部６１との摩擦が低減され、吊下げ部材６２の移動をスムーズにすることができる。
【００７５】
また、端支持部６１、吊下げ部材６２の変形例として、図１７に示すように、端支持部６１をパイプ６１１とカーテンレール６１２で構成し、吊下げ部材６２をランナー６２３で構成してもよい。パイプ６１１は、一対の妻壁２４間に設けられており、撓まないよう複数のアーチ部３１に固定されている。カーテンレール６１２は、パイプ６１１に沿って固定されている。ランナー６２３は、カーテンレール６１２に沿ってＹ軸方向（奥行方向）に沿って移動自在であり、第１のカーテン５の端部を保持するためのフック６２４を備えている。このように、端支持部６１を、パイプ６１１とカーテンレール６１２で構成し、吊下げ部材６２をランナー６２３で構成することによって、第１のカーテン５の荷重による端支持部６１の垂下を防止することができる。
【００７６】
また、本実施形態の農業用ハウス１は、ユーザが第１のカーテン５の開閉を比較的容易に行えるように、滑車７１を移動させて第１のカーテン５を開閉するための開閉装置９（第１の開閉装置）を備える。
【００７７】
以下に、開閉装置９の構成について、図１８を用いて説明する。開閉装置９は、ロープ９１（第１の紐体）と、回転ドラム９２（第１の回転ドラム）と、滑車９３と、滑車９４（折返し部）とを備える。
【００７８】
滑車９３は、定滑車で構成され、ハウス本体２のＹ軸方向の一端側における屋根２３付近に配置されている。滑車９４は、定滑車で構成され、ハウス本体２のＹ軸方向の他端側における屋根２３付近に配置されている。回転ドラム９２は、ハウス本体２のＹ軸方向の一端側における滑車９３近傍に配置されている。滑車９３と滑車９４とは、略同じ高さに配置されており、回転ドラム９２は、滑車９３よりやや低く、かつやや他端側の位置に配置されている。ロープ９１は、端が無いループ形状（無端）に形成されており、屋根２３に沿ってＹ軸方向の両端に配置された回転ドラム９２と滑車９４とに掛け回され、第１のカーテン５をＹ軸方向に移動（開閉）させる。なお、ロープ９１の代わりにワイヤ等を用いてもよい。
【００７９】
また、第１のカーテン５は、滑車９４側にあるＹ軸方向の一端部（固定端）が、支持部６のＹ軸方向の一端部から移動しないように梁３３に対して固定され、滑車９３側にあるＹ軸方向の他端部（自由端）が、ロープ９１の一部に結合されている。
【００８０】
すなわち、無端のロープ９１は、回転ドラム９２と滑車９４とで折り返されるように掛け回され、滑車９３を支点としてロープ９１の移動方向が変更される。なお、本実施形態では、ロープ９１は、回転ドラム９２と滑車９４とに掛け回された１本の無端の紐体であるが、回転ドラム９２と滑車９４との間には見かけ上、２本のロープが架かっている。以下では説明の便宜上、第１のカーテン５の自由端が結合された一方のロープ９１を第１のロープ９１１と呼び、他方のロープ９１を第２のロープ９１２と呼ぶ。
【００８１】
したがって、回転ドラム９２が図１８の矢印Ａ（実線）の向きに回転した場合、回転ドラム９２に第１のロープ９１１が引き込まれ、回転ドラム９２から第２のロープ９１２が引き出される。一方、回転ドラム９２が図１８の矢印Ｂ（点線）の向きに回転した場合、回転ドラム９２から第１のロープ９１１が引き出され、回転ドラム９２に第２のロープ９１２が引き込まれる。すなわち、ロープ９１（第１のロープ９１１，第２のロープ９１２）は、回転ドラム９２によって、つるべ式に動作する。なお、滑車９３は、それぞれが独立して回転する２個の滑車を有する２連滑車からなり、一方の滑車に第１のロープ９１１が掛け回され、他方の滑車に第２のロープ９１２が掛け回される。
【００８２】
第１のロープ９１１には第１のカーテン５の自由端が結合されており、回転ドラム９２を回転させることにより、第１のカーテン５の自由端をＹ軸方向に移動させて第１のカーテン５を開閉することができる。第１のカーテン５を閉じる場合、回転ドラム９２を図１８の矢印Ａ（実線）の向きに回転させる。これにより、回転ドラム９２に第１のロープ９１１が引き込まれ、第１のカーテン５の自由端が滑車９３側に手繰り寄せられて第１のカーテン５の自由端が固定端から離れる向きに移動し、第１のカーテン５が閉じられる。一方、第１のカーテン５を開ける場合、回転ドラム９２を図１８の矢印Ｂ（点線）の向きに回転させる。これにより、回転ドラム９２から第１のロープ９１１が引き出される（回転ドラム９２に第２のロープ９１２が引き込まれる）。そして、第１のカーテン５の自由端が滑車９４側に手繰り寄せられて第１のカーテン５の自由端が固定端に近づく向きに移動し、第１のカーテン５が開けられる。なお、本実施形態では、第１のカーテン５の固定端が滑車９４側、自由端が回転ドラム９２（滑車９３）側に設けられているが、第１のカーテン５の固定端が回転ドラム９２（滑車９３）側、自由端が滑車９４に設けられた構成でもよい。
【００８３】
さらに、本実施形態の開閉装置９は、回転ドラム９２の空回りを防止するために、回転ドラム９２とロープ９１との間に摩擦力を付与する摩擦力付与手段として弾性部材９５を備えている。弾性部材９５は、コイルばねで構成されており、梁３３と滑車９４との間に固定される。そして、弾性部材９５は、コイルばねの復帰力により滑車９４を梁３３側に引っ張ってロープ９１に張力を与えることで、回転ドラム９２とロープ９１との間に摩擦力を付与する。この弾性部材９５によって、回転ドラム９２とロープ９１との間の摩擦力が大きくなり、回転ドラム９２は、ロープ９１を複数回巻き付けることなくロープ９１の引き込み・引き出しが可能となる。回転ドラム９２にロープ９１を複数回巻き付ける必要がないので、フリートアングルも考慮する必要がなくなり、回転ドラム９２およびロープ９１の全長も短くすることができる。また、開閉装置９は、屋根２３付近に設けられるので、ハウス本体２内における圃場の有効利用面積が拡大する。
【００８４】
なお、本実施形態では、回転ドラム９２とロープ９１との間に摩擦力を付与する摩擦力付与手段として弾性部材９５を用いているが、弾性部材９５以外を用いてもよい。例えば、摩擦力付与手段として、摩擦係数の大きい回転ドラム９２やロープ９１を用いてもよい。
【００８５】
また、第１のカーテン５は、Ｙ軸方向の各端部において、少なくともＸ軸方向の両端間を連結する芯材５１，５２（図２（ｂ）参照）を有しており、芯材５１が支持部６に沿ってＹ軸方向に移動することにより開閉する。そのため、開閉装置９は、ロープ９１と回転ドラム９２と滑車９３，９４と弾性部材９５との組み合わせを２組有しており、第１のカーテン５の自由端に設けられた芯材５１の両端部に各組のロープ９１を結合している。つまり、開閉装置９は、両方の回転ドラム９２を回転させて両方のロープ９１を同時に移動させることにより、第１のカーテン５の自由端に設けられた芯材５１のＸ軸方向の両端部を同時に移動させることができる。
【００８６】
さらに、本実施形態の開閉装置９は、図１９に示すように、シャフト９６とモータ９７と開閉検知部９８とを備える。第１のカーテン５をＸ軸方向の全域に亘り一斉に開閉させるために、２組の回転ドラム９２が同時に回転するように、回転ドラム９２同士がシャフト９６によって連結されている。このシャフト９６によって両方の回転ドラム９２が同様に回転し、両方のロープ９１が同時に移動するので、Ｘ軸方向における第１のカーテン５の開度のばらつきを抑制できる。また、モータ９７は、発生する駆動力によりシャフト９６を回転させることで、２つの回転ドラム９２が回転し、第１のカーテン５が開閉する。
【００８７】
開閉検知部９８は、一方の回転ドラム９２とモータ９７との間に設けられており、モータ９７（回転ドラム９２）の回転量に基づいて、第１のカーテン５の全開・全閉状態を検知する。開閉検知部９８は、梁３３に取付けられた板状の固定板９８１１に固定されており、矩形箱状のケース９８１２に収納されている。ケース９８１２を取り外した状態を図２０，図２１に示す。開閉検知部９８の構成について図２０，図２１を用いて説明する。
【００８８】
開閉検知部９８は、底板９８２と一対の側板９８３とシャフト９８４とガイド９８５と移動ブロック９８６と一対のスイッチ固定部９８７と一対のマイクロスイッチ９８８とを備える。
【００８９】
底板９８２は、矩形板状に形成され、図示しないビス等を用いて固定板９８１１に固定される。一対の側板９８３は、Ｘ軸方向に対向するように固定板９８１１の側面に取り付けられる。なお、一対の側板９８３のうち、モータ９７側に取り付けられる側板９８３を側板９８３１と呼び、回転ドラム９２側に取り付けられる側板９８３を側板９８３２と呼ぶ。
【００９０】
シャフト９８４は、丸棒状に形成され、一対の側板９８３を貫通し、かつ回転自在となるように一対の側板９８３に設けられている。側板９８３１から突出したシャフト９８４の一端には、モータ９７の回転軸が接続され、側板９８３２から突出したシャフト９８４の他端には、シャフト９６の端部が接続されている。すなわち、シャフト９８４は、モータ９７の回転軸と、回転ドラム９２が設けられるシャフト９６とをＸ軸方向に連結しており、モータ９７の回転軸に連動して、シャフト９８４およびシャフト９６が同様に回転する。また、一対の側板９８３間におけるシャフト９８４の胴体部には、ネジ溝が形成されている。ガイド９８５は、丸棒状に形成され、一対の側板９８３間に設けられている。
【００９１】
移動ブロック９８６は、本体部９８６１と第１挿通孔９８６２と第２挿通孔９８６３と板バネ９８６４とを備える。本体部９８６１は、矩形体状に形成される。第１挿通孔９８６２は、本体部９８６１に形成され、シャフト９８４が挿通する。また、第１挿通孔９８６２の内面にはネジ溝が形成されており、このネジ溝と、シャフト９８４の胴体部に形成されたネジ溝とが螺合される。第２挿通孔９８６３は、ガイド９８５が挿通する。なお、第２挿通孔９８６３の径は、ガイド９８５の径よりもやや大きく形成されており、本体部９８６１は、ガイド９８５に沿って移動自在に構成される。板バネ９８６４は、本体部９８６１から突出するように、一端が本体部９８６１に固定されている。そして、移動ブロック９８６は、シャフト９８４の回転方向に応じてガイド９８５に沿って移動し、その移動量は、シャフト９８４の回転量によって決定される。
【００９２】
一対のスイッチ固定部９８７は、底板９８２上における一端側と他端側とに設けられており、上部にマイクロスイッチ９８８が固定される。なお、一対のスイッチ固定部９８７のうち、モータ９７側に設けられたスイッチ固定部９８７をスイッチ固定部９８７１と呼び、回転ドラム９２側に設けられたスイッチ固定部９８７をスイッチ固定部９８７２と呼ぶ。
【００９３】
各スイッチ固定部９８７の上部には、マイクロスイッチ９８８が固定されており、ガイド９８５に沿って移動する移動ブロック９８６の板バネ９８６４が接触する。各マイクロスイッチ９８８には、モータ９７を制御する制御回路（図示なし）が接続されており、板バネ９８６４が接触すると、制御回路に検知信号を出力する。なお、スイッチ固定部９８７１に固定されるマイクロスイッチ９８８をマイクロスイッチ９８８１と呼び、スイッチ固定部９８７２に固定されるマイクロスイッチ９８８をマイクロスイッチ９８８２と呼ぶ。
【００９４】
そして、モータ９７によってシャフト９８４が図２０の矢印Ａ（実線）の向きに回転した場合、移動ブロック９８６は、シャフト９８４の回転量に応じた移動量分だけ側板９８３１に近づく向きに移動する。さらに、回転ドラム９２も図１８の矢印Ａ（実線）の向きに回転し、回転ドラム９２の回転量に応じた移動量分だけ第１のカーテン５の自由端が固定端から離れる向きに移動し第１のカーテン５が閉じられる。一方、モータ９７によってシャフト９８４が図２０の矢印Ｂ（点線）の向きに回転した場合、移動ブロック９８６は、シャフト９８４の回転量に応じた移動量分だけ側板９８３２に近づく向きに移動する。さらに、回転ドラム９２も図１８の矢印Ｂ（点線）の向きに回転し、回転ドラム９２の回転量に応じた移動量分だけ第１のカーテン５の自由端が固定端に近づく向きに移動し第１のカーテン５が開けられる。シャフト９８４と回転ドラム９２の回転量は同一であるので、第１のカーテン５の自由端の移動量と移動ブロック９８６の移動量とが比例関係となる。
【００９５】
そこで、本実施形態では、移動ブロック９８６の位置を、第１のカーテン５が全閉状態である場合に板バネ９８６４がマイクロスイッチ９８８１に接触する位置に設定する。また、移動ブロック９８６の位置を、第１のカーテン５が全開状態である場合に板バネ９８６４がマイクロスイッチ９８８２に接触する位置に設定する。なお、図２１において、第１のカーテン５が全閉状態である場合における移動ブロック９８６の位置を実線で示し、第１のカーテン５が全開状態である場合における移動ブロック９８６の位置を破線で示す。また、図２１の矢印は、移動ブロック９８６の移動方向を示す。
【００９６】
上記構成により、第１のカーテン５の自由端が移動して第１のカーテン５が全閉状態になると、移動ブロック９８６の板バネ９８６４がマイクロスイッチ９８８１に接触する。そして、マイクロスイッチ９８８１から第１のカーテン５の全閉状態を示す検知信号が制御回路に出力される。一方、第１のカーテン５の自由端が移動して第１のカーテン５が全開状態になると、移動ブロック９８６の板バネ９８６４がマイクロスイッチ９８８２に接触する。そして、マイクロスイッチ９８８２から第１のカーテン５の全開状態を示す検知信号が制御回路９９に出力される。制御回路９９は、マイクロスイッチ９８８１またはマイクロスイッチ９８８２から検知信号が出力されるとモータ９７を停止させる。これにより、第１のカーテン５のオーバーランを防止することができる。
【００９７】
このように、本実施形態の開閉検知部９８は、モータ９７（回転ドラム９２）の回転量に基づいて第１のカーテン５の自由端の位置を検出し、第１のカーテン５の全開・全閉状態を検知することができる。したがって、第１のカーテン５の全開時に自由端の位置と、第１のカーテン５の全閉時における自由端の位置それぞれに検知スイッチを設ける必要がなく、１つの開閉検知部９８を用いて、第１のカーテン５の全開状態と全閉状態とを検知することができる。また、開閉検知部９８は、モータ９７の近傍に設けられるので、電気系統を１箇所にまとめることができ、電気配線も短くすることができるので、施工性，信頼性が向上し、施工費，材料費も削減することができる。
【００９８】
また、底板９８２に対するスイッチ固定部９８７２の位置が調整可能に構成されており、第１のカーテン５が全開・全閉状態である場合に、板バネ９８６４がマイクロスイッチ９８８に接触するよう調整することができる。
【００９９】
なお、上記構成では、マイクロスイッチ９８８１，９８８２から検知信号が出力された際に制御回路９９がモータ９７を停止するように構成されているが、制御回路９９を省略した構成であってもよい。例えば、モータ９７は第１の入力端子、第２の入力端子、共通端子を有し、駆動電源から導出される第１の電力線を第１の入力端子に接続し、第２の電力端子を第２の入力端子に接続し、共通電力線を共通端子に接続する。モータ９７を図２０の矢印Ａ（実線）の向きに回転させる場合、第１の電力線と共通電力線を用いてモータ９７に電力を供給し、モータ９７を図２０の矢印Ｂ（点線）の向きに回転させる場合、第２の電力線と共通電力線を用いてモータ９７に電力を供給する。そして、マイクロスイッチ９８８１をｂ接点型のスイッチで構成して第１の電力線に介挿し、板バネ９８６４が接触すると第１の電力線をオープン状態にしてモータ９７への供給電力を遮断し、モータ９７を停止させる。また、マイクロスイッチ９８８２をｂ接点型のスイッチで構成して第２の電力線に介挿し、板バネ９８６４が接触すると第２の電力線をオープン状態にしてモータ９７への供給電力を遮断し、モータ９７を停止させる。
【０１００】
このようにマイクロスイッチ９８８１，９８８２に板バネ９８６４が接触した際に、マイクロスイッチ９８８１，９８８２がモータ９７への供給電力を直接遮断するように構成することで、制御回路９９が不要となり、構成が簡略化される。
【０１０１】
なお、開閉検知部９８の構成は上記に限定せず、開閉検知部９８の変形例である開閉検知部４の概略図を図２２（ａ）（ｂ）に示す。本変形例の開閉検知部４は、ロープ９１の移動量に基づいて、第１のカーテン５の開閉状態を検知する。開閉検知部４は、滑車９３の近傍における滑車９３と滑車９４との間に設けられており、閉検知スイッチ４１と開検知スイッチ４２を備える。また、ロープ９１のうち、第１のカーテン５の自由端が結合された一方の第１のロープ９１１と一体に第１の接触部材４３が取り付けられ、他方の第２のロープ９１２と一体に第２の接触部材４４が取り付けられる。第１の接触部材４３および第２の接触部材４４は、ロープ９１の周面から突出するように取り付けられる構造物であり、本実施形態では、円筒状に形成されている。
【０１０２】
図２３および図２４（ａ）（ｂ）を用いて開閉検知部４の具体的な構成について説明する。
【０１０３】
開閉検知部４は、閉検知スイッチ４１と開検知スイッチ４２と第１の接触部材４３と第２の接触部材４４とを備える。閉検知スイッチ４１は、押しボタン型のスイッチであり、接点を反転させることで第１のカーテン５の閉状態を検知する。開検知スイッチ４２は、押しボタン型のスイッチであり、接点を反転させることで第１のカーテン５の開状態を検知する。閉検知スイッチ４１および開検知スイッチ４２は、曲げ加工された金属板で構成される土台４０の先端部に取り付けられており、土台４０は妻壁２４を構成する梁３３に固定されている。
【０１０４】
閉検知スイッチ４１は、接点を収納し土台４０に固定される本体４１１と、本体４１１に設けられる第１の操作部４１２を備える。第１の操作部４１２は、本体４１１から突出し接点を反転させる第１の押しボタン４１３と、第１の押しボタン４１３を操作する第１のレバー４１４を備える。第１のレバー４１４は、本体４１１に固定された下端を支点とし、上端が本体４１１に近づく方向に力を加えられることで第１の押しボタン４１３を押すレバー本体４１５と、レバー本体４１５を上方向に延長するように設けられる弾性部材４１６を備える。弾性部材４１６は、コイルばねで構成されており、ロープ９１の移動方向に沿った方向（奥行き方向）に弾性を有し、第１の接触部材４３と接触可能に構成される。
【０１０５】
第１の接触部材４３は、ロープ９１の移動方向に沿った方向（奥行き方向）に弾性を有する弾性部材（例えばゴムなど）で構成されており、第１のカーテン５が閉状態となる位置で閉検知スイッチ４１の第１の操作部４１２に接触して接点を反転させる。具体的には、第１の接触部材４３が弾性部材４１６に接触し弾性部材４１６が大きく撓むことで、レバー本体４１５が第１の押しボタン４１３を押し込み接点が反転する。これにより、閉検知スイッチ４１は、第１のカーテン５の閉状態を検知する。そして、閉検知スイッチ４１は、第１のカーテン５の閉状態を検知すると、モータ９７の動作を制御する制御回路９９（図１９参照）に検知信号を出力する。制御回路９９は、閉検知スイッチ４１から検知信号が出力されるとモータ９７の回転を停止させ、第１のカーテン５の閉動作を停止させる。これにより、第１のカーテン５のオーバーランを防止することができる。
【０１０６】
次に、開検知スイッチ４２は、閉検知スイッチ４１と同様の構成であり、接点を収納し土台４０に固定される本体４２１と、本体４２１に設けられる第２の操作部４２２を備える。第２の操作部４２２は、本体４２１から突出し接点を反転させる第２の押しボタン４２３と、第２の押しボタン４２３を操作する第２のレバー４２４を備える。第２のレバー４２４は、本体４２１に固定された下端を支点とし、上端が本体４２１に近づく方向に力を加えられることで第２の押しボタン４２３を押すレバー本体４２５と、レバー本体４２５を上方向に延長するように設けられる弾性部材４２６を備える。弾性部材４２６は、コイルばねで構成されており、ロープ９１の移動方向に沿った方向（奥行き方向）に弾性を有し、第２の接触部材４４と接触可能に構成される。
【０１０７】
第２の接触部材４４は、ロープ９１の移動方向に沿った方向（奥行き方向）に弾性を有する弾性部材（例えばゴムなど）で構成されており、第１のカーテン５が開状態となる位置で開検知スイッチ４２の第２の操作部４２２に接触して接点を反転させる。具体的には、第２の接触部材４４が弾性部材４２６に接触し弾性部材４２６が大きく撓むことで、レバー本体４２５が第２の押しボタン４２３を押し込み接点が反転する。これにより、開検知スイッチ４２は、第１のカーテン５の開状態を検知する。そして、開検知スイッチ４２は、第１のカーテン５の開状態を検知すると、モータ９７の動作を制御する制御回路９９（図１９参照）に検知信号を出力する。制御回路９９は、開検知スイッチ４２から検知信号が出力されるとモータ９７の回転を停止させ、第１のカーテン５の開動作を停止させる。これにより、第１のカーテン５のオーバーランを防止することができる。
【０１０８】
本変形例においても、第１のカーテンの全開時および全閉時における自由端の位置それぞれに検知スイッチを設ける必要がなく、１つの開閉検知部４を用いて、第１のカーテンの閉状態、開状態を検知することができる。また、開閉検知部４は、モータ９７の近傍に設けられるので、電気系統を１箇所にまとめることができ、電気配線も短くすることができるので、施工性，信頼性が向上し、施工費，材料費も削減することができる。
【０１０９】
また、閉検知スイッチ４１の第１の操作部４１２および開検知スイッチ４２の第２の操作部４２２は、弾性を有しており、第１，第２の接触部材４３，４４に接触した瞬間ではなく、弾性部材４１６，４２６が撓まされた際に接点が反転するように構成されている。これにより、第１のカーテン５の開閉動作が停止された際における反発（跳ね返り）によって第１，第２の接触部材４３，４４が第１，第２の操作部４１２，４２２から離れ、接点が再反転する（検知状態が解除される）チャタリングを防止することができる。さらに、第１，第２の接触部材４３，４４も奥行方向に弾性を有するので、チャタリングをより防止することができる。また、第１，第２の接触部材４３，４４は、第１，第２の操作部４１２，４２２を大きく撓ませることがきるよう、奥行方向に対して比較的長い形状に形成されている。これにより、第１，第２の接触部材４３，４４は、チャタリングを防止し、接点をより確実に反転せることができる。
【０１１０】
さらに、第１，第２の接触部材４３，４４が弾性部材４１６，４２６と接触した際の反発による跳ね返りを防止するために、第１，第２の跳ね返り防止部材４５，４６を設けてもよい（図２４（ａ）参照）。第１の跳ね返り防止部材４５は、磁石で構成されており、第１の接触部材４３における弾性部材４１６と接触する部位に設けられている。弾性部材４１６は、金属製のコイルばねで構成されている。したがって、第１の跳ね返り防止部材４５は、第１の接触部材４３が閉検知スイッチ４１（弾性部材４１６）から離れる方向に所定以上の力が加えられるまで、第１の接触部材４３と閉検知スイッチ４１との接触状態を保持することができる。また、第２の跳ね返り防止部材４６は、磁石で構成されており、第２の接触部材４４における弾性部材４２６と接触する部位に設けられている。弾性部材４２６は、金属製のコイルばねで構成されている。したがって、第２の跳ね返り防止部材４６は、第２の接触部材４４が開検知スイッチ４２（弾性部材４２６）から離れる方向に所定以上の力が加えられるまで、第２の接触部材４４と開検知スイッチ４２との接触状態を保持することができる。このように、第１，第２の跳ね返り防止部材４５，４６を用いることによって、第１，第２の接触部材４３，４４が弾性部材４１６，４２６と接触した際の反発による跳ね返りを防止することができ、チャタリングを防止することができる。なお、弾性部材４１６，４２６を非磁性体で構成する場合、弾性部材４１６，４２６にも磁石または金属部材を設けることで跳ね返りを防止することができる。なお、第１，第２の跳ね返り防止部材４５，４６の変形例として、第１，第２の接触部材４３，４４と弾性部材４１６，４２６とに設けた面ファスナーで構成してもよい。
【０１１１】
また、制御回路９９（図１９参照）は、閉検知スイッチ４１、開検知スイッチ４２から検知信号が出力され、モータ９７（回転ドラム９２）の回転を停止後、回転ドラム９２を逆回転させる指示が入力されるまで回転ドラム９２の回転を停止するように構成される。これにより、第１のカーテン５の開閉動作が停止された際に、閉検知スイッチ４１、開検知スイッチ４２の検知状態が解除されるチャタリングが発生した場合であっても、第１のカーテン５の開閉動作停止を維持することができる。
【０１１２】
また、上述した開閉検知部９８と同様に、制御回路９９を省略し、閉検知スイッチ４１が閉状態を検知した際または開検知スイッチ４２が開状態を検知した際に、モータ９７への供給電力を直接遮断するように構成してもよい。これにより、制御回路９９が不要となり、構成が簡略化される。
【０１１３】
また、第１，第２の接触部材４３，４４は、円筒形状に形成されているので、他の構成部材との干渉を防止することができる。
【０１１４】
また、モータ９７は、過負荷状態となった場合に停止するように構成されている。開閉検知部４の故障や断線が発生した場合、第１，第２の接触部材４３，４４が弾性部材４１６，４２６を通過して滑車９３で止められることによってモータ９７が過負荷状態となり停止する。これにより、滑車９３などの構成部材の破損を防止することができる。また、第１，第２の接触部材４３，４４は、弾性を有するので滑車９３に接触した際の衝撃を低減し破損を防止することができる。
【０１１５】
また、図２３に示すように、土台４０には閉検知スイッチ４１、開検知スイッチ４２とともに滑車９３も固定されている。これにより、閉検知スイッチ４１および開検知スイッチ４２は、滑車９３に対して定位置に固定されるので、ロープ９１と弾性部材４１６，４２６との間隔が一定となり、開閉状態の検知精度を向上させることができる。
【０１１６】
なお、本実施形態では、滑車９３の近傍に開閉検知部４が設けられているが、滑車９４（折返し部）の近傍に開閉検知部４を設けた構成でもよい。
【０１１７】
また、上記変形例の開閉検知部４は、滑車９３の近傍における滑車９３と滑車９４との間に設けられているが、図２５に示すように、滑車９３と回転ドラム９２との間に設けられた構成であってもよい。
【０１１８】
（実施形態２）
本実施形態の農業用ハウス１は、第１のカーテン５を開閉するための開閉装置９０の構成が実施形態１の農業用ハウス１が備える開閉装置９と相違する。図２６を用いて、本実施形態の開閉装置９０について説明する。なお、実施形態１と同様の構成については、共通の符号を付して適宜説明を省略する。
【０１１９】
本実施形態の開閉装置９０（第２の開閉装置）は、ロープ９１０（第２の紐体）と、ロープ９１０を巻き取る回転ドラム９２０（第２の回転ドラム）と、第１滑車９３０と、第２滑車９４０と、折返し滑車９５０とを有している。ロープ９１０は、実施形態１のロープ９１（図１８参照）と同様に、一部に第１のカーテン５の自由端が結合されている。なお、ロープ９１０の代わりにワイヤ等を用いてもよい。第１滑車９３０には、回転ドラム９２０と第１のカーテン５の自由端との間でロープ９１０が掛け回され、第２滑車９４０には回転ドラム９２０と第１滑車９３０との間でロープ９１０が掛け回される。
【０１２０】
第１滑車９３０と折返し滑車９５０とは、ハウス本体２のＹ軸方向の両端部に固定された定滑車からなり、ハウス本体２の屋根２３に沿って、つまり屋根２３付近に配置されている。回転ドラム９２０は、ハウス本体２の屋根２３に沿って配置されている。ここでは、回転ドラム９２０は、Ｙ軸方向において第１滑車９３０と折返し滑車９５０との間の位置であって、第１滑車９３０の近傍に配置されている。さらに、第１滑車９３０と折返し滑車９５０とは略同じ高さに配置されており、回転ドラム９２０は、第１滑車９３０および折返し滑車９５０よりやや低い位置に配置されている。
【０１２１】
第２滑車９４０は、回転ドラム９２０および第１滑車９３０の下方に配置されている。ここでは、第２滑車９４０は、地面（地表）付近の定位置に固定された定滑車からなり、回転ドラム９２０の真下に配置されている。
【０１２２】
本実施形態では、ロープ９１０は、両端が回転ドラム９２０に保持された１本の紐体であるが、折返し滑車９５０を折り返し点として折り返されているため、回転ドラム９２０からは見かけ上、２本のロープが引き出されている。以下では説明の便宜上、回転ドラム９２０と第１のカーテン５の自由端との間に架かった一方のロープ９１０を第１のロープ９１１０と呼び、他方のロープ９１０を第２のロープ９１２０と呼ぶ。つまり、回転ドラム９２０からは第１のロープ９１１０と第２のロープ９１２０との２本のロープ９１０が引き出されている。これら第１のロープ９１１０と第２のロープ９１２０とは、先端（回転ドラム９２０と反対側の一端）同士が繋がっている。
【０１２３】
ここで、第２のロープ９１２０は、その先端が折返し滑車９５０で折り返されて第１のロープ９１１０に繋がっている。そのため、第１のカーテン５の自由端は、第１のロープ９１１０が巻き取られると折返し滑車９５０から離れる向きに移動し、第２のロープ９１２０が巻き取られると折返し滑車９５０に近づく向きに移動する。
【０１２４】
第１のロープ９１１０および第２のロープ９１２０は、いずれも回転ドラム９２０と第１のカーテン５の自由端との間で第１滑車９３０に掛け回されており、さらに、回転ドラム９２０と第１滑車９３０との間で第２滑車９４０に掛け回されている。言い換えれば、第１のロープ９１１０および第２のロープ９１２０は、いずれも回転ドラム９２０から引き出された部分が第２滑車９４０で一旦折り返された後、第１滑車９３０を介して第１のカーテン５の自由端に繋がっている。第１滑車９３０および第２滑車９４０は、それぞれ独立して回転する２個の滑車を有する２連滑車からなる。
【０１２５】
回転ドラム９２０は、回転軸方向において２区画に等分されており、一方の区画を第１のロープ９１１０の巻き取りに使用し、他方の区画を第２のロープ９１２０の巻き取りに使用する。ただし、第１のロープ９１１０と第２のロープ９１２０とでは巻き取りの向きが反対に構成されている。回転ドラム９２０が図２６の矢印Ａ（実線）の向きに回転したときには第１のロープ９１１０が巻き取られ、矢印Ｂ（点線）の向きに回転したときには第２のロープ９１２０が巻き取られる。第１のロープ９１１０と第２のロープ９１２０とは先端同士が繋がっている。したがって、第１のロープ９１１０が巻き取られると第２のロープ９１２０が回転ドラム９２０から引き出され、第２のロープ９１２０が巻き取られると第１のロープ９１１０が回転ドラム９２０から引き出されることになる。
【０１２６】
これにより、開閉装置９０は、回転ドラム９２０を回転させることにより、ロープ９１０が移動して、第１のカーテン５の自由端をＹ軸方向に移動させることができる。開閉装置９０は、第１のカーテン５を閉じるときには、回転ドラム９２０を図２６の矢印Ａ（実線）の向きに回転させ、第１のロープ９１１０にて第１のカーテン５の自由端を第１滑車９３０側に手繰り寄せる。これにより、第１のカーテン５の自由端が固定端から離れる向きに移動し第１のカーテン５が閉じられる。一方、開閉装置９０は、第１のカーテン５を開くときには、回転ドラム９２０を図２６の矢印Ｂ（点線）の向きに回転させ、第２のロープ９１２０にて第１のカーテン５の自由端を折返し滑車９５０側に手繰り寄せる。これにより、第１のカーテン５の自由端を固定端に近づく向きに移動し第１のカーテンが開けられる。
【０１２７】
以上説明した構成の農業用ハウス１によれば、屋根２３付近に配置されている回転ドラム９２０および第１滑車９３０の下方に配置された第２滑車９４０によって、回転ドラム９２０と第１滑車９３０との間でロープ９１０が折り返されることになる。したがって、農業用ハウス１は、回転ドラム９２０および第１滑車９３０の上方に空間的な余裕がなくても、回転ドラム９２０および第１滑車９３０の下方の空間を利用して回転ドラム９２０から第２滑車９４０までの距離を稼ぐことができる。つまり、農業用ハウス１は、ハウス本体２の高さを上げることなく、ハウス本体２内部の空間を有効利用して、回転ドラム９２０から第２滑車９４０までの距離を比較的大きく確保できる。回転ドラム９２０は、第２滑車９４０までの距離を大きくすることで、フリートアングルが小さくなって、ロープ９１０をきれいに巻き取ることができる。
【０１２８】
さらにまた、本実施形態では、図２６に示すように回転ドラム９２０および第１滑車９３０の下方には、第２滑車９４０およびロープ９１０の周囲を囲むように柵９６０が設けられており、第２滑車９４０は柵９６０に固定されている。柵９６０は、Ｙ軸方向に直交する断面が略正方形状となる角筒形状であって、その内側における下端部に第２滑車９４０を固定している。これにより、回転ドラム９２０と第２滑車９４０との間のロープ９１０および第１滑車９３０と第２滑車９４０との間のロープ９１０の周囲が柵９６０で囲まれることになる。
【０１２９】
なお、柵９６０は、回転ドラム９２０および第１滑車９３０の下方において、ロープ９１０への巻き込みを防止するために設けられており、その各面はたとえばポリカーボネートのような透光性の部材で構成されていてもよいし、網などで構成されていてもよい。
【０１３０】
農業用ハウス１は、このような柵９６０が設けられていることにより、回転ドラム９２０および第１滑車９３０の下方に第２滑車９４０を設けながらも、ロープ９１０への巻き込みを防止することができる。しかも、第２滑車９４０は柵９６０に固定されているので、第２滑車９４０を固定するための部材を新たに設置する必要がない。さらに、第２滑車９４０は柵９６０への固定位置がＺ軸方向において調整されることにより、ロープ９１０にかかるテンション（張力）調整することも可能である。
【０１３１】
開閉装置９０の他の構成は、実施形態１の開閉装置９と同様であり、実施形態１のシャフト９６，モータ９７，開閉検知部９８（開閉検知部４）も備え、同様の効果を得ることができる。
【符号の説明】
【０１３２】
１  農業用ハウス
２  ハウス本体
５  第１のカーテン
６  支持部
８  第２のカーテン
１３  側カーテン（第３のカーテン）
２３  屋根
３３  梁 
【図１】
2015142545.tif 000003
【図２】
2015142545.tif 000004
【図３】
2015142545.tif 000005
【図４】
2015142545.tif 000006
【図５】
2015142545.tif 000007
【図６】
2015142545.tif 000008
【図７】
2015142545.tif 000009
【図８】
2015142545.tif 000010
【図９】
2015142545.tif 000011
【図１０】
2015142545.tif 000012
【図１１】
2015142545.tif 000013
【図１２】
2015142545.tif 000014
【図１３】
2015142545.tif 000015
【図１４】
2015142545.tif 000016
【図１５】
2015142545.tif 000017
【図１６】
2015142545.tif 000018
【図１７】
2015142545.tif 000019
【図１８】
2015142545.tif 000020
【図１９】
2015142545.tif 000021
【図２０】
2015142545.tif 000022
【図２１】
2015142545.tif 000023
【図２２】
2015142545.tif 000024
【図２３】
2015142545.tif 000025
【図２４】
2015142545.tif 000026
【図２５】
2015142545.tif 000027
【図２６】
2015142545.tif 000028